(57)【要約】【課題】  ギガビットイーサネット信号を伝送する冗長系の光伝送システムに、イーサネット規格に準拠したオートネゴシエーション機能を有するネットワーク機器及びオートネゴシエーション機能を有するトランスポンダを適用し、光信号経路の障害発生時にネットワーク機器間で生じる回線遮断状態を確実に復旧させる信頼性の高いネットワークを提供する。【解決手段】  光信号経路の障害発生時に、ネットワーク機器とのリンク断などの回線障害を検出して対向局にその情報を転送し、対抗局においてネットワーク機器とオートネゴシエーションをリスタートする。【選択図】  図２
2011091657.tif 000002
【特許請求の範囲】
【請求項１】
第１ネットワーク機器と、第１トランスポンダと、第２トランスポンダと、前記第１ネットワーク機器と前記第１トランスポンダ及び前記第２トランスポンダとの間に設置される第１制御部とを備える第１のネットワークと、
第２ネットワーク機器と、第３トランスポンダと、第４トランスポンダと、前記第２ネットワーク機器と前記第３トランスポンダ及び前記第４トランスポンダとの間に設置される第２制御部とを備え、かつ前記第1の伝送装置と光伝送路で接続する第２のネットワークとを有する光伝送システムであって、
前記第1ネットワーク機器、前記第２ネットワーク機器、前記第１トランスポンダ、前記第２トランスポンダ、前記第３トランスポンダ、及び前記第４トランスポンダは、各々、イーサネット規格に準拠したオートネゴシエーション機能を有し、
前記第1トランスポンダは、前記第３トランスポンダから回線障害通知を受信するとき、前記第１制御部を介して前記第1ネットワーク機器へオートネゴシエーション要求信号を送信し、
前記第2トランスポンダは、前記第１トランスポンダがオートネゴシエーション要求信号を送信するとき、前記第１制御部を介して前記第1ネットワーク機器からオートネゴシエーション要求信号を受信し、前記第1ネットワーク機器とのリンクを設定することを特徴とする光伝送システム。
【請求項２】
前記第1制御部は、第1光カプラと第1光スイッチとを有し、前記第１トランスポンダから受信するオートネゴシエーション要求信号を前記第光1スイッチを介して前記第1ネットワーク機器へ送信し、前記第1ネットワーク機器から受信するオートネゴシエーション要求信号を前記第１光カプラによって分岐して一の分岐光を前記第２のトランスポンダへ送信することを特徴とする請求項１に記載の光伝送システム。
【請求項３】
前記第２制御部は、第２光スイッチを有し、前記第２光スイッチは、前記第２制御部と前記第３トランスポンダとの間で回線障害が発生するとき、前記第３トランスポンダへの接続を前記第４トランスポンダへの接続に切り替え、
前記第１ネットワーク機器からの光信号は、前記第１光カプラで分岐され、前記第２トランスポンダ、前記第４トランスポンダ、及び前記第２光スイッチを介して前記第２ネットワーク機器へ送信されることを特徴とする請求項２に記載の光伝送システム。
【請求項４】
前記第２制御部は、第２光カプラをさらに有し、
前記第２ネットワーク機器からの光信号は、前記第２光カプラで分岐され、前記第３トランスポンダ、前記第１トランスポンダ、及び前記第１光スイッチを介して前記第１ネットワーク機器へ送信されることを特徴とする請求項３に記載の光伝送システム。
【請求項５】
前記第２制御部は、第２光カプラをさらに有し、
前記第１光スイッチは、前記第３トランスポンダが前記第1トランスポンダに前記回線障害通知を送信するときに、前記第１トランスポンダへの接続を前記第２トランスポンダへの接続に切り替え、
前記第２ネットワーク機器からの光信号は、前記第２光カプラで分岐され、前記第４トランスポンダ、前記第２トランスポンダ、及び前記第１光スイッチを介して前記第１ネットワーク機器へ送信されることを特徴とする請求項３に記載の光伝送システム。
【請求項６】
前記回線障害通知は、前記第２制御部と前記第３トランスポンダとの間のリンク断の通知であることを特徴とする請求項１に記載の光伝送システム。
【請求項７】
前記回線障害通知は、前記第２制御部と前記第３トランスポンダとの間の光回線断の通知であることを特徴とする請求項１に記載の光伝送システム。
【請求項８】
前記第１トランスポンダ及び前記第２トランスポンダは、前記第１ネットワーク機器と通信する第１送受信部と、前記光伝送路を介して前記第２の伝送装置と通信する第２送受信部と、前記第1送受信部を介して前記第1ネットワーク機器と通信して前記オートネゴシエーション機能を制御するリンク情報制御部と、前記回線障害の情報を付与した通知を前記第２の伝送装置へ送信するよう制御する信号制御部とを各々有することを特徴とする請求項１に記載の光伝送システム。
【請求項９】
前記信号制御部は、前記回線障害の情報を付与した通知を、保守信号により通知することを特徴とする請求項８に記載の光伝送システム。
【請求項１０】
前記信号制御部は、前記回線障害の情報を付与した通知を、８Ｂ１０Ｂ符号則では生成されないデータパターンを用いて生成することを特徴とする請求項８に記載の光伝送システム。
【発明の詳細な説明】
【技術分野】
【０００１】
本発明は、イーサネット（登録商標）の規格に準拠したオートネゴシエーション機能を有する伝送装置の制御方法に係わり、光スイッチを用いた冗長系の光伝送システムにおいて、障害発生時に伝送装置を介したネットワーク機器間で生じる回線遮断状態を復旧させる方式に関する。
【背景技術】
【０００２】
光伝送システムでは、光信号経路上の障害によりネットワーク機器間の通信が遮断する被害を最小限に抑えるための手段として、光信号経路を二重化して障害発生時に光スイッチにより光信号経路を切り替える方法が実用化されている。
【０００３】
光スイッチを用いた実用例として、例えば特許文献例１が提案されている。特許文献例１に記載の例によれば、主装置側の光送信回路から出力される光信号は、光合分波回路によって２本の光伝送路に分岐され、従装置側の光スイッチでいずれかが選択される。光スイッチが選択している側の光伝送路に障害が発生した際は、光受信回路が光信号の遮断を検出し、切替制御回路に光スイッチの切り替えを指示することにより、もう片方の光伝送路が選択される。
【先行技術文献】
【特許文献】
【０００４】
【特許文献１】特開２００３−３３８７８８
【発明の概要】
【発明が解決しようとする課題】
【０００５】
特許文献例１と類似した構成として、図５の構成が想定される。図５において、光分岐・スイッチ１０３と運用系トランスポンダ１０５の間で、運用系トランスポンダ１０５の入力側の光信号経路に障害が発生した場合（Step1）、光回線断状態をＢ局の運用系トランスポンダに通知し（Step2）、光分岐・スイッチ１０４への出力を停止する（Step3）。光分岐・スイッチ１０４は光信号入力の遮断を検出し、スイッチを予備系に切り替える（Step4）。図５の構成では、Ａ局のネットワーク機器１０１よりの光信号は、予備系の光信号経路を経由してＢ局のネットワーク機器１０２へ導かれる。一方、Ｂ局のネットワーク機器１０２よりの光信号は、運用系の光信号経路を経由してＡ局のネットワーク機器１０１へ導かれる。従い、ネットワーク機器１０１、１０２相互の通信は別々の経路を経由して成立する。
【０００６】
ギガビットイーサネット信号を伝送する光伝送システムで、かつ、図５の構成の光伝送システムにおいて、オートネゴシエーション機能を有するネットワーク機器及びオートネゴシエーション機能を有するトランスポンダを適用する場合は、障害発生時の光信号経路の切り替え動作が正しく行われず、ネットワーク機器間の通信の遮断が継続してしまう場合がある。
【０００７】
例えば、図５の構成においてＡ局の光分岐・スイッチ１０３と運用系トランスポンダ１０５の間で、光分岐・スイッチ１０３の入力側の光信号経路に障害が発生した場合に、運用系トランスポンダ１０５とネットワーク機器１０１の間のリンクは断し、光分岐・スイッチ１０３は光入力信号の遮断を検出してスイッチを予備系に切り替える。ネットワーク機器１０１と予備系トランスポンダ１０６の間の通信は、オートネゴシエーションによりリンクが確立した後可能となる。一方、Ｂ局の光分岐・スイッチ１０４は切り替え要因が無いため、運用系経路を選択したままになる。ここで、スイッチ切り替え後の光信号経路として、Ａ局のネットワーク機器１０１よりの光信号は、予備系経路を通過してＢ局のネットワーク機器１０２に導かれ、Ｂ局のネットワーク機器１０２よりの光信号は、運用系経路を通過してＡ局のネットワーク機器１０１に導かれることが期待される。しかしながら、予備系経路を用いて光信号を伝送するには障害発生時にＢ局のネットワーク機器と予備系トランスポンダ間のリンクを確実に確立させておく必要がある。
【課題を解決するための手段】
【０００８】
本発明による光伝送システムは一例として、第１ネットワーク機器と、第１トランスポンダと、第２トランスポンダと、前記第１ネットワーク機器と前記第１トランスポンダ及び前記第２トランスポンダとの間に設置される第１制御部とを備える第１のネットワークと、第２ネットワーク機器と、第３トランスポンダと、第４トランスポンダと、前記第２ネットワーク機器と前記第３トランスポンダ及び前記第４トランスポンダとの間に設置される第２制御部とを備え、かつ前記第1の伝送装置と光伝送路で接続する第２のネットワークとを有する光伝送システムであって、前記第1ネットワーク機器、前記第２ネットワーク機器、前記第１トランスポンダ、前記第２トランスポンダ、前記第３トランスポンダ、及び前記第４トランスポンダは、各々、イーサネット規格に準拠したオートネゴシエーション機能を有し、前記第1トランスポンダは、前記第３トランスポンダから回線障害通知を受信するとき、前記第１制御部を介して前記第1ネットワーク機器へオートネゴシエーション要求信号を送信し、前記第2トランスポンダは、前記第１トランスポンダがオートネゴシエーション要求信号を送信するとき、前記第１制御部を介して前記第1ネットワーク機器からオートネゴシエーション要求信号を受信し、前記第1ネットワーク機器とのリンクを設定することを特徴とする。
【発明の効果】
【０００９】
光スイッチを用いて冗長系を構成する光伝送システムにおいて、イーサネット規格に準拠したオートネゴシエーション機能を有するネットワーク機器及びオートネゴシエーション機能を有するトランスポンダを適用することが可能となる。そして、光信号経路の障害発生時にネットワーク機器間で生じる回線遮断状態を確実に復旧させることが可能となる。
【図面の簡単な説明】
【００１０】
【図１】本発明に係る光伝送システムの構成例である。
【図２】本発明に係る光伝送システムの障害発生時の動作例である。
【図３】図２のStep1〜Step5-bのシーケンスのフロー図の一例である。
【図４】本発明に係る光伝送システムの障害発生時の動作例である。
【図５】光伝送システムの構成例である。
【発明を実施するための形態】
【００１１】
図１は本発明によるトランスポンダの内部ブロックの例を示す図である。トランスポンダはネットワーク機器と光信号を送受信する第１光送受信部２と、ネットワーク機器と通信してオートネゴシエーションを制御するリンク情報制御部３と、保守信号を対向のトランスポンダへ送信するよう制御する保守信号挿入部５と、保守信号データパターンを決定して保守信号挿入部を制御する保守信号制御部４と、光伝送路を介して対向のトランスポンダと光信号を送受信する第２光送受信部８と、保守信号を受信する保守信号受信部６と、第１光送受信部と前記第２光送受信部を制御する光送信制御部７から構成される。
光送受信制御部７は、第１光送受信部２にて前記ネットワーク機器より入力される光信号の遮断を検出した際に、第１光送受信部２を前記ネットワーク機器への光信号の出力を停止するよう制御する。
【００１２】
保守信号制御部４は、第１光送受信部２にてネットワーク機器より入力される回線障害（光信号の遮断など）を検出した際に、保守信号挿入部５を制御して、当該回線障害の情報を付与した第１保守信号を通知として対向のトランスポンダへ送信するよう制御する。
光送信制御部７は、保守信号受信部６にて光伝送路を転送されてきた第１保守信号を受信した際に、第１光送受信部２を、ネットワーク機器への光信号の出力を停止するよう制御する。
【００１３】
保守信号制御部４は、リンク情報制御部３にて前記ネットワーク機器とのリンクの遮断を検出した際に、保守信号挿入部５を制御して、当該遮断のリンク断情報を付与した第２保守信号を対向のトランスポンダへ送信するよう制御する。
【００１４】
リンク情報制御部３は、保守信号受信部６にて光伝送路を転送されてきた第２保守信号を受信した際に、ネットワーク機器に対してオートネゴシエーションのリスタート信号を出力して、ネットワーク機器とオートネゴシエーションを行う。
【００１５】
保守信号制御部４は、リンク情報制御部３にてオートネゴシエーションによるリンク確立を検出した際に、保守信号挿入部５を制御して、第２保守信号に対する応答を示す第３保守信号を対向のトランスポンダへ送信するよう制御する。
保守信号制御部４は、保守信号受信部６にて光伝送路を転送されてきた第３保守信号を受信した際に、保守信号挿入部５を制御して、第２保守信号の出力を停止する。その結果、ネットワーク機器よりの光信号は光伝送路側へ通過する。
【００１６】
図２は本発明によるトランスポンダが適用される光伝送システムの一構成例に、その動作例の説明を併記する図である。動作例は回線障害としてリンク断が発生した場合の動作例を破線欄にて記載する。図２に示すシステムは、２局間でネットワーク機器の光信号を伝送するシステムであり、トランスポンダと伝送路を二重化した冗長系のシステムである。図２において、Ａ局とはネットワーク機器101と光分岐・スイッチ103とトランスポンダ105、106が設置されている通信ネットワークの局舎であり、Ｂ局とはネットワーク機器102と光分岐・スイッチ104とトランスポンダ107、108が設置されている通信ネットワークの局舎であって、Ａ局と対向する局舎である。また、光分岐・スイッチ１０３、１０４は、光信号の経路を制御する制御部であって、各々、ネットワーク機器１０１とトランスポンダ１０５、１０６、またネットワーク機器１０２とトランスポンダ１０７、１０８の間に配置される。ネットワーク機器１０１、１０２から出力される光信号は、図２に示す通りに、光分岐・スイッチ１０３、１０４内の光カプラ１１１、１１３で２本の経路に分岐され、トランスポンダ１０５〜１０８で信号変換された後に光伝送路１０９、１１０に導かれる。２経路の光伝送路１０９、１１０を通過した光信号は、トランスポンダ１０５〜１０８で信号変換された後に光分岐・スイッチ１０３、１０４内の光スイッチ１１２、１１４により運用系からの信号と予備系からの信号とのいずれかが選択される。Ａ局の光分岐・スイッチ１０３と運用系トランスポンダ１０５の間で、光分岐・スイッチ１０３の入力側の光信号経路に障害が発生した場合（Step1）、運用系トランスポンダ１０５とネットワーク機器１０１間のリンクは断し、光分岐・スイッチ１０３内の光スイッチ１１２は光信号の遮断を検出してスイッチを予備系に切り替える（Step2-a）。ここで、ネットワーク機器１０１と運用系トランスポンダ１０５間のリンク断により、両者はオートネゴシエーションの初期状態に遷移する。一方、スイッチの切り替えによりネットワーク機器１０１と双方向に通信を開始する予備系トランスポンダ１０６も、ネットワーク機器１０１がオートネゴシエーションの初期段階で出力する信号を受信して、オートネゴシエーションの初期状態に遷移する。次に、予備系トランスポンダ１０６はネットワーク機器１０１と通信してオートネゴシエーションを行い（Step3-a）、リンクを確立する。ここで、運用系トランスポンダ１０５は、光分岐・スイッチ１０３内の光カプラ１１１を介してネットワーク機器１０１が出力する光信号を受信し、それに対する応答信号を返信することにより、予備系トランスポンダ１０６とネットワーク機器１０１間で行われるオートネゴシエーションに同調して、あたかもネットワーク機器１０１とオートネゴシエーションを実施するかのようにふるまい（Step3-aでオートネゴシエーションと記載するステップ）、結果として運用系トランスポンダ１０５はネットワーク機器１０１間とリンクを副次的に確立する。
【００１７】
一方、運用系トランスポンダ１０５はStep1の光回線断に伴いネットワーク機器１０１とのリンク断を検出すると、第１保守信号を用いてＢ局の運用系トランスポンダ１０７に回線障害通知としてのリンク断通知のためのリンク断情報を転送する（Step2-b）。第１保守信号のデータパターンは、通常の信号伝送では使用しないデータパターンを用いる。例えばイーサネットでは８Ｂ１０Ｂ符号を用いているが、８Ｂ１０Ｂ符号則では生成されないデータパターンがあり、これを保守信号用データパターンとすることで通常のデータ信号との判別が可能となる。
【００１８】
第１保守信号によりリンク断情報を受信したＢ局の運用系トランスポンダ１０７は、ネットワーク機器１０２に対しオートネゴシエーションのリスタートを要求し、運用系トランスポンダ１０７とネットワーク機器１０２はオートネゴシエーションの初期状態に遷移する。
【００１９】
一方、光分岐・スイッチ１０４内の光カプラ１１３を介してネットワーク機器１０２と接続されている予備系トランスポンダ１０８も、ネットワーク機器１０２がオートネゴシエーションの初期段階で出力する信号を受信して初期状態に遷移する。次に、運用系トランスポンダ１０７はネットワーク機器１０２と通信してオートネゴシエーションを行い（Step3-b）、リンクを確立する。このとき、予備系トランスポンダ１０８はオートネゴシエーション中にネットワーク機器１０２が出力する光信号を受信し、それに対する応答信号を返信することにより、運用系トランスポンダ１０７とネットワーク機器１０２間で行われるオートネゴシエーションに同調して、あたかもネットワーク機器１０２とオートネゴシエーションを実施しているかのようにふるまい（Step3-b）、結果として予備系トランスポンダ１０８はネットワーク機器１０２間とリンクを副次的に確立する。
【００２０】
運用系トランスポンダ１０７はネットワーク機器１０２とのリンクを確立した後、第２保守信号を用いてリンク確立情報をＡ局の運用系トランスポンダ１０５へ転送する（Step4-b）。第２保守信号のデータパターンは前述のリンク断情報転送用の第１保守信号と異なるデータパターンを用いることにより第１保守信号と判別が可能となる。リンク確立情報を受信した運用系トランスポンダ１０５は、第１保守信号の転送を停止し、Ａ局のネットワーク機器１０１よりの光信号を光伝送路１０９に出力する（Step5-b）。
【００２１】
図３は、図２に示す実施例におけるStep1〜Step5-bのシーケンス図である。ここでは、Step3-bにおいてネットワーク機器１０２と運用系トランスポンダ１０７及び予備系トランスポンダ１０８がイーサネット規格に準拠したオートネゴシエーションを行い、リンクを確立するまでのシーケンスを簡略化して示す。
【００２２】
Ａ局の運用系トランスポンダ１０５はリンク断を検出（２０１）すると、第1保守信号によりリンク断情報をＢ局の運用系トランスポンダに転送する（２０２）。リンク断情報を受信したＢ局の運用系トランスポンダ１０７は、オートネゴ開始要求信号を光分岐・スイッチ１０４内のスイッチ１１４を介してネットワーク機器１０２に送信する（２０３）。オートネゴ開始要求信号を受信したネットワーク機器１０２は、オートネゴ要求１信号を光分岐・スイッチ１０４内の光カプラ１１３を介して分岐した一方を運用系トランスポンダ１０７へ、他方を予備系トランスポンダ１０８に送信する（２０４）。オートネゴ要求１信号を受信した運用系トランスポンダ１０７は、オートネゴ応答１信号を光分岐・スイッチ１０４内の光スイッチ１１４を介してネットワーク機器１０２に送信する（２０５）。オートネゴ要求１信号を受信した予備系トランスポンダ１０８は、運用系トランスポンダ１０７と同様に、オートネゴ応答１信号を光分岐・スイッチ１０４に送信する（２０６）。運用系トランスポンダ１０７よりのオートネゴ応答１信号を受信したネットワーク機器１０２は、続けてオートネゴ要求２信号を光分岐・スイッチ１０４内の光カプラ１１３を介して分岐した一方を運用系トランスポンダ１０７へ、他方を予備系トランスポンダ１０８に送信する（２０７）。オートネゴ要求２信号を受信した運用系トランスポンダ１０７は、オートネゴ応答２信号を光分岐・スイッチ１０４内の光スイッチ１１４を介してネットワーク機器１０２に送信し（２０８）、オートネゴシエーションを完了してリンクを確立する（２１０）。オートネゴ要求２信号を受信した予備系トランスポンダ１０８は、運用系トランスポンダ１０７と同様に、オートネゴ応答２信号を光分岐・スイッチ１０４に送信し（２０９）、オートネゴシエーションを完了してリンクを確立する（２１１）。運用系トランスポンダ１０７よりのオートネゴ応答２信号を受信したネットワーク機器１０２は、オートネゴシエーションを完了してリンクを確立する（２１２）。以上のように、予備系トランスポンダ１０８は、光分岐・スイッチ１０４内の光スイッチ１１４が運用系を選択している場合においても、運用系トランスポンダ１０７の応答信号に対するネットワーク機器１０２の要求信号を受信することにより、ネットワーク機器１０２とオートネゴシエーションを行い、リンクを確立することが可能である。
【００２３】
次に、リンクを確立した運用系トランスポンダ１０７は、第２保守信号によりリンク確立情報をＡ局の運用系トランスポンダ１０５に転送する（２１３）。リンク確立情報を受信した運用系トランスポンダ１０５は、第１保守信号の送信を停止する（２１４）。
【００２４】
上記図２に示す実施例では、Ａ局のネットワーク機器１０１よりの光信号は、運用系の光信号経路を経由してＢ局のネットワーク機器１０２へ導かれる。一方、Ｂ局のネットワーク機器１０２よりの光信号は、予備系の光信号経路を経由してＡ局のネットワーク機器１０１へ導かれる。従い、ネットワーク機器１０１、１０２相互の通信は別々の経路を経由して成立する。
【００２５】
図２の実施例における本発明によるトランスポンダを適用した冗長系の光伝送システムでは、光信号経路の障害発生時に、両局の運用系・予備系トランスポンダがネットワーク機器とオートネゴシエーションを行いリンクを確立して通信経路を確保するため、予備系トランスポンダが運用開始後に増設される場合においても、障害発生時に生じるネットワーク機器間の回線遮断状態から速やかに復旧することが可能である。
【００２６】
図４は本発明によるトランスポンダが適用される光伝送システムのさらなる例に、その動作例の説明を併記する図である。動作例は回線障害として光回線断が発生した場合の動作例を破線欄にて記載する。図４に示すシステムは、２局間でネットワーク機器の光信号を伝送するシステムであり、構成は図２と基本的に同様である。Ａ局の光分岐・スイッチ１０３と運用系トランスポンダ１０５の間で、運用系トランスポンダ１０５の入力側の光信号経路に障害が発生した場合（Step1）、運用系トランスポンダ１０５は光信号の遮断を検出して光分岐・スイッチ１０３側の光出力を停止する（Step2-a）。また、運用系トランスポンダ１０５とネットワーク機器１０１間のリンクは断し、光分岐・スイッチ１０３は光信号の遮断を検出してスイッチを予備系に切り替える（Step3-a）。次に、予備系トランスポンダ１０６は、ネットワーク機器１０１と通信してオートネゴシエーションを行い（Step4-a）、リンクを確立する。
【００２７】
一方、Ａ局の運用系トランスポンダ１０５は、Step1の光回線断で光信号の遮断を検出すると、第３保守信号を用いてＢ局の運用系トランスポンダ１０７に回線障害通知としての光回線断通知のため光回線断情報を転送する（Step2-b）。第３保守信号のデータパターンは、通常の信号伝送では使用しないデータパターンを用いる。例えばイーサネットでは８Ｂ１０Ｂ符号を用いているが、８Ｂ１０Ｂ符号則では生成されないデータパターンがあり、これを保守信号用データパターンとすることで通常のデータ信号との判別が可能となる。
【００２８】
第３保守信号により光回線断情報を受信したＢ局の運用系トランスポンダ１０７は、ネットワーク機器１０２側の光出力を停止する（Step3-b）。これにより、運用系トランスポンダ１０７とネットワーク機器１０２の間のリンクは断し、光分岐・スイッチ１０４は光信号の遮断を検出してスイッチを予備系に切り替える（Step4-b）。次に、予備系トランスポンダ１０８は、ネットワーク機器１０２と通信してオートネゴシエーションを行い、リンクを確立する（Step5-b）。
【００２９】
上記図４に示す実施例では、Ａ局のネットワーク機器１０１よりの光信号は、予備系の光信号経路を経由してＢ局のネットワーク機器１０２へ導かれる。一方、Ｂ局のネットワーク機器１０２よりの光信号も、予備系の信号経路を経由してＡ局のネットワーク機器１０１へ導かれる。
【００３０】
図４の実施例のトランスポンダを適用した冗長系の光伝送システムでは、光信号経路の障害発生時に、両局の運用系・予備系トランスポンダがネットワーク機器とオートネゴシエーションを行いリンクを確立して通信経路を確保するため、予備系トランスポンダが運用開始後に増設される場合においても、障害発生時に生じるネットワーク機器間の回線遮断を速やかに復旧させることが可能である。
【符号の説明】
【００３１】
１…トランスポンダ
２…第一光送受信部
３…リンク情報制御部
４…保守信号制御部
５…保守信号挿入部
６…保守信号受信部
７…光送受信制御部
８…第二光送受信部
１３−１、１４−１…光送信回路
１５−１、１６−１…光受信回路
２２…光カプラ
２３…光合分波回路
１０１、１０２…ネットワーク機器
１０３、１０４…光分岐・スイッチ
１０５、１０７…運用系トランスポンダ
１０６、１０８…予備系トランスポンダ
１０９、１１０…光伝送路
１１１、１１３…光カプラ
１１２、１１４…光スイッチ
【図１】
2011091657.tif 000003
【図２】
2011091657.tif 000004
【図３】
2011091657.tif 000005
【図４】
2011091657.tif 000006
【図５】
2011091657.tif 000007